(57)【要約】【課題】  低コストで製造できる、車両用の消毒装置を提供する。【解決手段】  車両の通路の両側に配置するノズル装置と、消毒液を収容する消毒液タンクと、車両の通行を検知する検知センサーと、消毒液を消毒液タンクからノズル装置に供給する供給装置と、検知センサーによって車両の通行を検知して、供給装置からノズル装置に供給する消毒液の供給タイミングを制御する制御装置を備え、ノズル装置が複数の噴射ノズルを有し、各ノズルが雨粒状の消毒液を各車両に付与することを特徴とする消毒装置。【選択図】  図１
0003164796.tif 000002
【実用新案登録請求の範囲】
【請求項１】
車両の通路の両側に配置するノズル装置と、消毒液を収容する消毒液タンクと、車両の通行を検知する検知センサーと、消毒液を消毒液タンクからノズル装置に供給する供給装置と、検知センサーによって車両の通行を検知して、供給装置からノズル装置に供給する消毒液の供給タイミングを制御する制御装置を備え、ノズル装置が複数の噴射ノズルを有し、各ノズルが雨粒状の消毒液を各車両に付与することを特徴とする消毒装置。
【請求項２】
供給装置が噴射ポンプを有し、噴射ポンプの作動により各ノズルから雨粒状の消毒液を高速度で車両に向けて噴射することを特徴とする請求項１に記載の消毒液装置。
【請求項３】
各ノズルが雨粒状の消毒液を扇形に噴射するものであることを特徴とする請求項１又は２に記載の消毒装置。
【請求項４】
ノズル装置が、細長いパイプにノズルを数多く取りつけたものであり、かつ、各ノズルのノズル穴が詰まることを防ぐために、ストレーナを有することを特徴とする請求項１〜３のいずれか１項に記載の消毒装置。
【請求項５】
検知センサーがセンサーライトによって構成されていることを特徴とする請求項１〜４のいずれか１項に記載の消毒装置。
【考案の詳細な説明】
【技術分野】
【０００１】
本考案は、車両用の消毒装置に関する。
【背景技術】
【０００２】
鳥のインフルエンザの発生や、牛の口蹄疫の発生のため、それらを運搬するための車両を消毒することが重要になってきた。とくに、各農家が自己防衛のために独自に家畜を運搬するための車両を消毒することが求められるようになってきた。
【０００３】
従来の消毒装置においては、検知センサーとして道路用信号機を利用していた。この場合、リレーやタイマースイッチを組合せて検知センサーが構成されていた。このような構成であると、制御盤が複雑で、製造コストが高かった。
【０００４】
また、従来の消毒装置においては、消毒液がノズルから霧状に噴射されていた。この場合、消毒液が風に流されることを防ぐために屋根等を作る必要があった。
【０００５】
しかも、従来の消毒装置においては、高圧ノズルを使用していたため、噴射のタイミングが遅れ、車が半分しか消毒されないことがあった。このようなトラブルを避けるために、車両用の遮断機を取り付ける必要があった。
【考案の概要】
【考案が解決しようとする課題】
【０００６】
本考案の目的は、低コストで製造できる、車両用の消毒装置を提供することである。
【課題を解決するための手段】
【０００７】
本考案の解決手段を例示すると、次のとおりである。
【０００８】
（１）車両の通路の両側に配置するノズル装置と、消毒液を収容する消毒液タンクと、車両の通行を検知する検知センサーと、消毒液を消毒液タンクからノズル装置に供給する供給装置と、検知センサーによって車両の通行を検知して、供給装置からノズル装置に供給する消毒液の供給タイミングを制御する制御装置を備え、ノズル装置が複数の噴射ノズルを有し、各ノズルが雨粒状の消毒液を各車両に付与することを特徴とする消毒装置。
【０００９】
（２）供給装置が噴射ポンプを有し、噴射ポンプの作動により各ノズルから雨粒状の消毒液を高速度で車両に向けて噴射することを特徴とする前述の消毒装置。
【００１０】
（３）各ノズルが雨粒状の消毒液を扇形に噴射するものであることを特徴とする前述の消毒装置。
【００１１】
（４）ノズル装置が、細長いパイプにノズルを数多く取りつけたものであり、かつ、各ノズルのノズル穴が詰まることを防ぐために、ストレーナを有することを特徴とする前述の消毒装置。
【００１２】
（５）検知センサーがセンサーライトによって構成されていることを特徴とする前述の消毒装置。
【考案の効果】
【００１３】
本考案によれば、消毒液が各ノズルから雨粒状に噴射されるため、風に強い。それゆえ、消毒液をノズルから霧状に噴射する従来の消毒装置に比較して、本考案の消毒装置の場合は、風による悪影響を避けるために屋根やそれに類する手段を設ける必要がなくなった。
【図面の簡単な説明】
【００１４】
【図１】本考案による消毒装置を示す斜視図。
【図２】図１に示した消毒装置に使用されるノズル装置を示す斜視図。
【考案を実施するための形態】
【００１５】
図面を参照して、本考案の１つの実施形態による消毒装置を説明する。
【００１６】
消毒装置は、車両の通路の両側に配置するノズル装置１０と、消毒液を収容する消毒液タンク１２と、車両の通行を検知する検知センサー１４と、消毒液を消毒液タンク１２からノズル装置１０に供給する供給装置１６と、検知センサー１４によって車両の通行を検知して、供給装置１６からノズル装置１０に供給する消毒液の供給タイミングを制御する制御装置１８を備えている。
【００１７】
供給装置１６は、噴射ポンプ２２と発電機２４を有し、各ノズルから雨粒状の消毒液を高速度で噴射するようになっている。
【００１８】
供給装置１０は、低圧力で、２〜３ｋｇ送水をするのが好ましい。渦巻のポンプが良い。
【００１９】
ノズル装置１０は、多数の噴射用のノズルを有し、各ノズルが破線２０で示すように雨粒状の消毒液を付与する。
【００２０】
ノズル装置１０は、２本の細長いパイプ１０ａにノズルを数多く取りつけて、例えばアーチ状に立てたものである。
【００２１】
ノズル装置１０には、各ノズルのノズル穴が詰まることを防ぐためにストレーナ２６が設けられている。
【００２２】
２本のパイプ１０ａの間を進行方向２８に進行する車両（図示せず）に向けて、各パイプ１０ａの多数のノズルから雨粒状の消毒液を（図に破線２０で示すように）扇形に噴射する。
【００２３】
ノズル装置１０は、各パイプ１０ａの下方部を支持台１０ｂとそこに固定した支持枠１０ｃによって支持し、かつ、各パイプ１０ａの中間部又は上方部を支持棒１０ｄによって支持して、風に対して強くする。
【００２４】
ノズル装置１０は、定圧かつ高速で散布を行うようにする。動力量の少ないノズルを使用するのが好ましい。
【００２５】
各ノズルから噴射される雨粒状の消毒液は、ツブが大きく、大粒の雨のように飛ばすことが好ましい。雨粒状の消毒液は、霧状にしない。
【００２６】
好ましい実施形態においては、ノズルは、６ｍｍ水道用ステン性メクラキャップを使って形成する。とくに、ネジになっている方から３．５ｍｍ穴を作る。その際、１．５ｍｍ残し、突き通さない。例えば、キャップの四角形を対角線にノコ刃で切込み、深さを２ｍｍにする。３．５ｍｍキリ穴と０．５ｍｍ交差させる。１ｍｍのノコ刃面にして、雨粒状の消毒液が扇型に噴射されるようにする。
【００２７】
パイプ１０ａとしては、水道用規格４分（直径１６ｍｍ）の鉄管を使うことができる。この場合、パイプ１０ａの肉厚は３ｍｍとする。パイプ１０ａの円形のセンターに穴を開ける。パイプ１０ａに直接タップを立てて直径６ｍｍネジを作る。各パイプ１０ａの複数のノズルを取り付ける間隔は、５００ｍｍと７００ｍｍにする。
【００２８】
また、別付けで長さ５００ｍｍのパイプに３個のノズルを角度可変に取りつけてもよい。車両の下を消毒できるようにしてもよい。
【００２９】
ストレーナ２６（例えば７０ミクロンのもの）を付けると、ノズルが詰まる事を防げる。
【００３０】
検知センサー１４は、検知エリア角度が９０度、検知長さが２．５ｍ〜１２ｍになるように設定する。
【００３１】
車両が通り過ぎる瞬間に検知センサー１４が作動するようにする。必要に応じて時間の設定を出来るようにする。
【００３２】
低圧で送る水量を多くすると、散布が高い速度となり、車の消毒漏れが少なくなり、動力費が１／９に低減できる。
【００３３】
制御装置１８は、リレーの埋込式にし、無電圧で電力を出すようにする。例えば、モーターにマグネットを取り付け、リレーの信号により作動するようにする。
【００３４】
消毒液タンク１２は、５００〜１，０００リットルのものが良い。セットが自由に、移動も簡単に行えるようにする。
【００３５】
本考案で使用する検知センサー１４は、センサーライトを用い、その信号を使用することができる。センサーライトを使用する場合は、動く車に反応して、車が通り過ぎるまで信号が出る。センサーライトを使用すると、製造コストを大幅に低くできる。また、タイマーによって時間調整をして、５秒〜１５分の時間の調整を可能とする。
【符号の説明】
【００３６】
１０  ノズル装置
１０ａ  パイプ
１２  消毒液タンク
１４  検知センサー
１６  供給装置
１８  制御装置
２２  噴射ポンプ
２４  発電機
【図１】
0003164796.tif 000003
【図２】
0003164796.tif 000004